(57)【要約】【課題】データ記録時の光ディスクの配置に対し、該光ディスクの表裏を反転する操作をすることなく該光ディスクに描画を行えるようにする。【解決手段】光ディスク１２にはデータ記録層３６と描画層４４が積層配置されている。この光ディスク１２を挟んでその両面側に光ピックアップ１６，１８をそれぞれ配置する。光ピックアップ１６はデータ記録層３６にデータ記録を行う。光ピックアップ１８は描画層４４に可視画像の形成を行う。光ピックアップ１８で描画層４４に可視画像の形成動作を開始する前に、光ピックアップ１６で光ディスク１２から所定の回転基準位置１０４を検出する。この検出された回転基準位置１０４に対して可視画像の向きを所定の回転角度方向に合わせて光ピックアップ１８で該可視画像を描画層４４に形成する。【選択図】図１
2008004243.tif 000002
【特許請求の範囲】
【請求項１】
データ記録層と描画層が積層配置された光ディスクを挟んで該光ディスクの上下に光ピックアップをそれぞれ配置し、これら両光ピックアップは前記光ディスクの回転方向について相互の位置関係が固定に設定され、前記光ディスクを回転駆動した状態で、一方の光ピックアップで前記データ記録層にデータ記録を行いまたは該データ記録層から記録データの読み取りを行い、これと同時または非同時に他方の光ピックアップで前記描画層に可視画像の形成を行うことができる光ディスク装置を用いて、
前記描画層に対する可視画像の形成動作を開始する前に予め前記一方の光ピックアップで前記光ディスクから所定の回転基準位置を検出し、該検出された回転基準位置に対して前記可視画像の向きを所定の回転角度方向に合わせて前記他方の光ピックアップで該可視画像を前記描画層に形成する光ディスク描画方法。
【請求項２】
前記検出された回転基準位置に対し所定の位置関係にある回転方向位置から前記可視画像の形成動作を開始する請求項１記載の光ディスク描画方法。
【請求項３】
前記描画層に対する可視画像の形成動作を開始する前に予め前記光ディスクを所定の回転数で回転数一定に回転駆動し、前記一方の光ピックアップで検出される前記回転基準位置の検出タイミングに隣接して前記光ディスクの回転駆動用スピンドルモータから発生されるＦＧパルスの発生タイミングを検出し、
その後前記ＦＧパルスをカウントして前記回転基準位置に隣接して発生されるＦＧパルスの発生タイミングを検出し、前記光ディスクを前記所定の回転数で回転数一定に回転駆動した状態で、該回転基準位置に隣接して発生されるＦＧパルスの発生タイミングからまたは該発生されるＦＧパルスの発生タイミングに対し所定の時間関係にあるタイミングから前記可視画像の形成動作を開始する請求項２記載の光ディスク描画方法。
【請求項４】
前記描画層に対する可視画像の形成動作を開始する前に予め前記光ディスクを所定の回転数で回転数一定に回転駆動し、前記一方の光ピックアップで検出される前記回転基準位置の検出タイミングと、前記光ディスクの回転駆動用スピンドルモータから前記回転基準位置に隣接して発生されるＦＧパルスの発生タイミングとの時間差を検出し、
その後前記ＦＧパルスをカウントして前記回転基準位置に隣接して発生されるＦＧパルスの発生タイミングを検出し、前記光ディスクを前記所定の回転数で回転数一定に回転駆動した状態で、該回転基準位置に隣接して発生されるＦＧパルスの発生タイミングを前記時間差で補正して求められる該回転基準位置のタイミングからまたは該求められる該回転基準位置のタイミングに対し所定の時間関係にあるタイミングから前記可視画像の形成動作を開始する請求項２記載の光ディスク描画方法。
【請求項５】
前記回転基準位置が、前記データ記録層のデータ記録フォーマットがＣＤフォーマットの場合はＡＴＩＰ、サブコードのいずれかの位置情報で定義され、該データ記録層のデータ記録フォーマットがＤＶＤフォーマットの場合はＡＤＩＰ、ランドプリピット、ＥＣＣブロックのいずれかの位置情報で定義されている請求項１から４のいずれかに記載の光ディスク描画方法。
【請求項６】
前記一方の光ピックアップで前記光ディスクの前記データ記録層から所定の描画可能ディスク識別情報を検出したことを条件に、該光ディスクの前記描画層に対する前記可視画像の形成を許可する請求項１から５のいずれかに記載の光ディスク描画方法。
【請求項７】
前記描画可能ディスク識別情報がサブコード、メインデータ、ＣＲＣエラーの特定発生パターン、ＡＴＩＰ、ＡＤＩＰのいずれかで記述されている請求項６記載の光ディスク描画方法。
【請求項８】
前記一方の光ピックアップで、前記光ディスクの前記データ記録層が配置された側のディスク基板表面または該データ記録層の、データ記録領域よりも内周側の領域に形成された描画可能ディスク識別マークを検出したことを条件に、該光ディスクの該描画層に対する前記可視画像の形成を許可する請求項１から５のいずれかに記載の光ディスク描画方法。
【請求項９】
データ記録層と描画層が積層配置された光ディスクを挟んで該光ディスクの上下に光ピックアップをそれぞれ配置し、これら両光ピックアップは前記光ディスクの回転方向について相互の位置関係が固定に設定され、前記光ディスクを回転駆動した状態で、一方の光ピックアップで前記データ記録層にデータ記録を行いまたは該データ記録層から記録データの読み取りを行い、これと同時または非同時に他方の光ピックアップで前記描画層に可視画像の形成を行うことができる光ディスク装置であって、
前記描画層に対する可視画像の形成動作を開始する前に予め前記一方の光ピックアップで前記光ディスクから所定の回転基準位置を検出し、該検出された回転基準位置に対して前記可視画像の向きを所定の回転角度方向に合わせて前記他方の光ピックアップで該可視画像を前記描画層に形成する光ディスク装置。
【請求項１０】
データ記録層と描画層が積層配置された光ディスクにおいて、
前記データ記録層が配置された側のディスク基板表面または該データ記録層の、データ記録領域よりも内周側の領域に、該ディスク基板表面に対向配置される光ピックアップで検出可能な描画可能ディスク識別マークを形成してなる光ディスク記録媒体。
【発明の詳細な説明】
【技術分野】
【０００１】
この発明は、光ディスクの盤面に絵、文字等の可視画像の形成（描画）を行うための光ディスク描画方法および光ディスク装置並びにこの光ディスク描画方法の実施に使用することができる光ディスク記録媒体に関し、データ記録時の光ディスクの配置に対し、該光ディスクの表裏を反転する操作をすることなく該光ディスクに描画を行えるようにしたものである。
【背景技術】
【０００２】
記録可能型ＣＤ、記録可能型ＤＶＤ等の光ディスクの盤面に感熱層、感光層等による描画層を形成し、該光ディスクのデータ記録層にデータ記録を行う光ディスク記録装置を光ディスク描画装置として兼用して、光ピックアップから、画像データに応じて変調したレーザ光を前記描画層に照射して、該描画層に描画を行う技術が下記特許文献１に開示されている。
【０００３】
【特許文献１】特開２００２−２０３３２１号公報
【発明の開示】
【発明が解決しようとする課題】
【０００４】
特許文献１に記載の描画方法は、データ記録時の光ディスクの配置に対し、描画する際には該光ディスクを光ディスク装置から一旦排出し、その表裏を反転して光ディスク装置に再挿入しなければならないので操作が面倒であった。
【０００５】
この発明は、上記従来技術における欠点を解決して、データ記録時の光ディスクの配置に対し、該光ディスクの表裏を反転する操作をすることなく該光ディスクに描画を行えるようにすることを目的とするものである。
【課題を解決するための手段】
【０００６】
この発明の光ディスク描画方法は、データ記録層と描画層が積層配置された光ディスクを挟んで該光ディスクの上下に光ピックアップをそれぞれ配置し、これら両光ピックアップは前記光ディスクの回転方向について相互の位置関係が固定に設定され、前記光ディスクを回転駆動した状態で、一方の光ピックアップで前記データ記録層にデータ記録を行いまたは該データ記録層から記録データの読み取りを行い、これと同時または非同時（別々の時）に他方の光ピックアップで前記描画層に可視画像の形成を行うことができる光ディスク装置を用いて、前記描画層に対する可視画像の形成動作を開始する前に予め前記一方の光ピックアップで前記光ディスクから所定の回転基準位置を検出し、該検出された回転基準位置に対して前記可視画像の向きを所定の回転角度方向に合わせて前記他方の光ピックアップで該可視画像を前記描画層に形成するものである。
【０００７】
この発明の光ディスク描画方法によれば、光ディスクを挟んでその上下に光ピックアップを配置したので、一方の光ピックアップでデータ記録層にデータ記録を行い、他方の光ピックアップで描画層に描画を行うことにより、データ記録時の光ディスクの配置に対し、該光ディスクの表裏を反転する操作をすることなく描画を行うことができる。また、描画層に対する可視画像の形成動作を開始する前に予め一方の光ピックアップで光ディスクから所定の回転基準位置を検出し、該検出された回転基準位置に対して可視画像の向きを所定の回転角度方向に合わせて他方の光ピックアップで該可視画像を描画層に形成するようにしたので、光ディスクの所定の回転方向位置を基準とした向きに該可視画像を形成することができる。したがって、例えば、光ディスクに描画した後、該光ディスクを光ディスク装置から排出し、その後該光ディスクを該光ディスク装置に再挿入して追加の描画（書き継ぎ、重ね書き等）を行う場合に、先に形成された画像と向きを合わせてまたはほぼ合わせて該追加の描画を行うことができる。また、追加の描画でなくても、回転基準位置に合わせてレーベル面の一部に予め印刷された文字や図形と向きを合わせてまたはほぼ合わせて描画を行うことができる。また、この発明によれば、光ディスクのデータ面側から回転基準位置を検出するので、光ディスクの描画面側には回転基準位置の情報を記録する必要がなくなり、その分描画エリアを広く確保することができる。
【０００８】
この発明の光ディスク描画方法は、前記検出された回転基準位置に対し所定の位置関係にある回転方向位置から前記可視画像の形成動作を開始することができる。その方法としては、例えば前記描画層に対する可視画像の形成動作を開始する前に予め前記光ディスクを所定の回転数で回転数一定に回転駆動し、前記一方の光ピックアップで検出される前記回転基準位置の検出タイミングに隣接して前記光ディスクの回転駆動用スピンドルモータから発生されるＦＧパルスの発生タイミングを検出し、その後前記ＦＧパルスをカウントして前記回転基準位置に隣接して発生されるＦＧパルスの発生タイミングを検出し、前記光ディスクを前記所定の回転数で回転数一定に回転駆動した状態で、該回転基準位置に隣接して発生されるＦＧパルスの発生タイミングからまたは該発生されるＦＧパルスの発生タイミングに対し所定の時間関係にあるタイミングから前記可視画像の形成動作を開始することができる。
【０００９】
また、別の方法としては、前記描画層に対する可視画像の形成動作を開始する前に予め前記光ディスクを所定の回転数で回転数一定に回転駆動し、前記一方の光ピックアップで検出される前記回転基準位置の検出タイミングと、前記光ディスクの回転駆動用スピンドルモータから前記回転基準位置に隣接して発生されるＦＧパルスの発生タイミングとの時間差を検出し、その後前記ＦＧパルスをカウントして前記回転基準位置に隣接して発生されるＦＧパルスの発生タイミングを検出し、前記光ディスクを前記所定の回転数で回転数一定に回転駆動した状態で、該回転基準位置に隣接して発生されるＦＧパルスの発生タイミングを前記時間差で補正して求められる該回転基準位置のタイミングからまたは該求められる該回転基準位置のタイミングに対し所定の時間関係にあるタイミングから前記可視画像の形成動作を開始することができる。
【００１０】
この発明の光ディスク描画方法において、前記回転基準位置は、例えば、前記データ記録層のデータ記録フォーマットがＣＤフォーマットの場合はＡＴＩＰ、サブコードのいずれかの位置情報で定義し、該データ記録層のデータ記録フォーマットがＤＶＤフォーマットの場合はＡＤＩＰ、ランドプリピット、ＥＣＣブロックのいずれかの位置情報で定義することができる。
【００１１】
この発明の光ディスク描画方法は、前記一方の光ピックアップで前記光ディスクの前記データ記録層から所定の描画可能ディスク識別情報を検出したことを条件に、該光ディスクの前記描画層に対する前記可視画像の形成を許可することができる。この場合、描画可能ディスク識別情報は例えばサブコード、メインデータ、ＣＲＣエラーの特定発生パターン、ＡＴＩＰ、ＡＤＩＰ等で記述することができる。これによれば、描画可能ディスク識別情報を光ディスクのデータ記録層に描画可能ディスク識別情報があるので、光ディスクの描画面側には描画可能ディスク識別情報を記録する必要がなく、その分描画エリアを広く確保することができる。
【００１２】
また、この発明の光ディスク描画方法は、前記一方の光ピックアップで、前記光ディスクの前記データ記録層が配置された側のディスク基板表面または該データ記録層の、データ記録領域よりも内周側の領域に形成された描画可能ディスク識別マークを検出したことを条件に、該光ディスクの該描画層に対する前記可視画像の形成を許可することができる。これによれば、描画可能ディスク識別マークをデータ記録層が配置された側のディスク基板表面または該データ記録層を形成するので、光ディスクの描画面側には描画可能ディスク識別マークを形成する必要がなく、その分描画エリアを広く確保することができる。
【００１３】
この発明の光ディスク装置は、データ記録層と描画層が積層配置された光ディスクを挟んで該光ディスクの上下に光ピックアップをそれぞれ配置し、これら両光ピックアップは前記光ディスクの回転方向について相互の位置関係が固定に設定され、前記光ディスクを回転駆動した状態で、一方の光ピックアップで前記データ記録層にデータ記録を行いまたは該データ記録層から記録データの読み取りを行い、これと同時または非同時に他方の光ピックアップで前記描画層に可視画像の形成を行うことができる光ディスク装置であって、前記描画層に対する可視画像の形成動作を開始する前に予め前記一方の光ピックアップで前記光ディスクから所定の回転基準位置を検出し、該検出された回転基準位置に対して前記可視画像の向きを所定の回転角度方向に合わせて前記他方の光ピックアップで該可視画像を前記描画層に形成するものである。
【００１４】
この発明の光ディスク記録媒体は、データ記録層と描画層が積層配置された光ディスクにおいて、前記データ記録層が配置された側のディスク基板表面または該データ記録層の、データ記録領域よりも内周側の領域に、該ディスク基板表面に対向配置される光ピックアップで検出可能な描画可能ディスク識別マークを形成してなるものである。
【発明を実施するための最良の形態】
【００１５】
《実施の形態１》
この発明の実施の形態１を説明する。図１はこの発明が適用された光ディスク装置のシステム構成を示す。光ディスク装置１０は、光ディスク１２を挟んでその両面側に光ピックアップ１６，１８を配置した構成を有しており、光ディスク１２の種類に応じて次のモードで動作することができるものである。
（ａ）光ディスク１２が片面ディスクの場合：光ピックアップ１６または１８でデータ記録またはデータ再生（再生専用ディスクの場合は再生のみ）
（ｂ）光ディスク１２が両面ディスクの場合：光ピックアップ１６および１８でデータ記録またはデータ再生（再生専用ディスクの場合は再生のみ）（光ピックアップ１６、１８は別々の時に動作）
（ｃ）光ディスク１２が描画層付片面ディスクの場合：光ピックアップ１６でデータ記録またはデータ再生、光ピックアップ１８で描画（光ピックアップ１６、１８は別々の時に動作）
【００１６】
この実施の形態では、光ディスク１２として描画層付片面ディスクを使用し、光ピックアップ１６でデータ記録を行い、光ピックアップ１８で描画を行う場合について説明する。光ディスク１２にはデータの記録および再生を行うデータ記録層と、可視画像の形成を行う描画層が厚み方向の互いに異なる位置に積層配置されている。描画層はレーザ光の照射により可視光特性が変化するもので、感熱材料、感光材料等で構成されている。この描画層は例えばデータ記録層と同じ色素材料で構成することができる。データ記録層にはトラックとしてウォブルグルーブが形成されている。ここでは、光ディスク１２の下面側にデータ記録層が配置され上面側に描画層が配置されているものとし、光ディスク１２の下面１２ａをデータ面、上面１２ｂをレーベル面と言うものとする。データ記録層にはディスク周方向のデータ密度がディスク径方向位置にかかわらず一定になるように記録データが記録される。また、描画層には、１周あたりの画素数がディスク径方向位置にかかわらず一定になるように描画が行われるものとする。
【００１７】
光ディスク１２はスピンドルモータ１４で回転駆動される。スピンドルサーボ１５はシステム制御部９０（マイコン）の指令に基づきスピンドルモータ１４の回転を制御する。スピンドルモータ１４は、データ記録時はＣＬＶ（線速度一定）制御またはＣＡＶ（回転数一定）制御され、描画時はＣＡＶ制御される。スピンドルモータ１４からはＦＧパルスが１回転につき所定パルス数ずつ等角度間隔で出力される。ＦＧカウンタ１９はＦＧパルスをカウントする。
【００１８】
光ディスク１２を挟んでその両側には光ピックアップ１６，１８がそれぞれ配置されている。下側の光ピックアップ１６はデータ記録層に対しデータ記録およびデータ再生を行う。上側の光ピックアップ１８は描画層に対し描画を行う。下側の光ピックアップ１６は、光ディスク１２の面と平行でかつディスク径方向に沿って（ディスク中心軸方向に向かって）固定配置された送りねじ２０に支持され、該送りねじ２０をステッピングモータ２４でそのねじ軸周り方向に回転駆動することによりディスク径方向に移送される。上側の光ピックアップ１８は、光ディスク１２の面と平行でかつディスク径方向に沿って（ディスク中心軸方向に向かって）固定配置された送りねじ２２に支持され、該送りねじ２２をステッピングモータ２６でそのねじ軸周り方向に駆動することによりディスク径方向に移送される。これら両光ピックアップ１６，１８のディスク径方向の移送はそれぞれ個別独立に行われる。なお、データ記録および描画とも光ディスク１２の内周側から外周側に向けて実行される。
【００１９】
光ピックアップ１６，１８のディスク周方向位置は固定であり、ここではディスク周方向の同一位置に光ピックアップ１６，１８が配置されている（すなわち、送りねじ２０，２２がディスク周方向の同じ位置で上下に平行に配置されている）ものとする。ただし、光ピックアップ１６，１８をディスク周方向に相互にずらして配置する（送りねじ２０，２２をディスク周方向に相互に角度を持たせて配置する）こともできる。いずれにしても、光ピックアップ１６，１８のディスク周方向の位置関係は相互に固定である。
【００２０】
光ディスク１２の層構造およびこの層構造に対する光ピックアップ１６，１８のレーザ光の配置例を図２、図３、図４を参照して説明する。なお、後述する説明の便宜上、図２、図３、図４の相互に対応する箇所の一部には同一を符号を用いる。
【００２１】
〈層構造およびレーザ光配置例１：図２〉
図２の例は、光ピックアップ１６，１８を共にＤＶＤ記録・再生兼用光ピックアップで構成したものである。光ディスク装置１０は両面の連続記録および連続再生が可能なＤＶＤ記録再生装置として構成されたもので、この発明による描画機能が付加されている。光ディスク１２は描画可能型片面一層ＤＶＤ−Ｒディスクとして構成されたものである。すなわち、光ディスク１２は０．６ｍｍ厚のポリカーボネート基板３２のグルーブ３４が形成されている表面にデータ記録層３６としての色素層および反射層３８を順次積層形成した第１基板４０と、グルーブを有しない０．６ｍｍ厚のポリカーボネート基板４２の表面に描画層４４としての色素層および反射層４６を順次積層形成した第２基板４８を具え、これら第１基板４０と第２基板４８とを積層膜どうしを対向させて接着層５０で相互に貼り合わせて一体化し、全体を１．２ｍｍ厚に構成したものである。下側の光ピックアップ１６の対物レンズ５２から出射されるＤＶＤ用レーザ光２８はデータ記録層３６に合焦制御される。上側の光ピックアップ１８の対物レンズ５４から出射されるＤＶＤ用レーザ光３０は描画層４４に合焦制御される。
【００２２】
〈層構造およびレーザ光配置例２：図３〉
図３の例は、下側の光ピックアップ１６をＣＤ記録・再生兼用光ピックアップで構成し、上側の光ピックアップ１８をＢＤ（ブルーレイ・ディスク）記録・再生兼用光ピックアップで構成したものである。光ディスク装置１０はＣＤの記録再生とＢＤの記録再生を行う兼用装置として構成されたもので、この発明による描画機能が付加されている。光ディスク１２は描画可能型ＣＤ−Ｒディスクとして構成されたものである。すなわち、光ディスク１２は１．１ｍｍ厚のポリカーボネート基板５６のグルーブ３４が形成されている表面にデータ記録層３６としての色素層、反射層６２、描画層４４としての色素層、０．１ｍｍ厚の保護層６６を順次積層形成して、全体を１．２ｍｍ厚に構成したものである。データ記録層３６の位置は標準のＣＤ−Ｒに対し０．１ｍｍずれているが、ＣＤ規格では透明基板厚は１．２±０．１ｍｍと定められているので問題なく記録、再生することができる。下側の光ピックアップ１６の対物レンズ５２から出射されるＣＤ用レーザ光２８はデータ記録層３６に合焦制御される。上側の光ピックアップ１８の対物レンズ５４から出射されるＢＤ用レーザ光３０は描画層４４に合焦制御される。
【００２３】
〈層構造およびレーザ光配置例３：図４〉
図４の例は、下側の光ピックアップ１６をＢＤ記録・再生兼用光ピックアップで構成し、上側の光ピックアップ１８をＣＤ記録・再生兼用光ピックアップで構成したものである。光ディスク装置１０は図３の例と同じくＣＤの記録再生とＢＤの記録再生を行う兼用装置として構成されたもので、この発明による描画機能が付加されている。光ディスク１２は描画可能型ＢＤ−Ｒディスクとして構成されたものである。すなわち、光ディスク１２はグルーブ３４が形成されている０．１ｍｍ厚のポリカーボネート保護シート７６を使用し、該保護シート７６のグルーブ３４が形成されている表面に、データ記録層３６としての色素層、反射層７２、描画層４４としての色素層を順次積層し、該保護シート７６の描画層４４に対向して、グルーブを有しない１．１ｍｍ厚のポリカーボネート基板６８を配置し、両者を接着層６９で相互に貼り合わせて一体化し、全体を１．２ｍｍ厚に構成したものである。下側の光ピックアップ１６の対物レンズ５２から出射されるＢＤ用レーザ光２８はデータ記録層３６に合焦制御される。上側の光ピックアップ１８の対物レンズ５４から出射されるＣＤ用レーザ光３０は描画層４４に合焦制御される。
【００２４】
図１において、モータドライバ８０、フォーカスサーボ８２、トラッキングサーボ８４、レーザドライバ８６等は２台の光ピックアップ１６，１８で切り換えて使用される。セレクトスイッチ８８はこの切り換えを行うもので、システム制御部９０の指令に基づき、光ピックアップ１６を動作させるときはセレクトスイッチ８８のスイッチ群８８ａ〜８８ｇを全て接点Ｂ側に接続し、光ピックアップ１８を動作させるときは同スイッチ群８８ａ〜８８ｇを全て接点Ａ側に接続する。
【００２５】
モータドライバ８０はステッピングモータ２４，２６に駆動パルスを印加して、その駆動パルス数に応じた移動量だけ光ピックアップ１６，１８をディスク径方向に移送する。駆動パルスカウンタ８７は描画時にステッピングモータ２６の駆動パルスのパルス数をその駆動方向に応じてアップ／ダウンカウントして、光ピックアップ１８の径方向移動量を計測する。なお、ＦＧカウンタ１９、駆動パルスカウンタ８７とも、システム制御部９０内に設定されたソフトウェアによるカウンタで実現することもできる。フォーカスサーボ８２は光ピックアップ１６，１８のフォーカス制御を行う。トラッキングサーボ８４は光ピックアップ１６，１８のトラッキング制御を行う。なお、描画時は、光ディスク１２の描画層４４にトラック（グルーブ）がなく光ピックアップ１８はトラッキング制御ができないので、トラッキングサーボ８４による光ピックアップ１８のトラッキング制御はオフされ、代わりに光ディスク１２の回転に同期したステッピングモータ２６の駆動により光ピックアップ１８をディスク径方向に順次移送する。このとき光ピックアップ１８のディスク径方向位置は、光ピックアップ１８の内周側原点位置（例えば光ピックアップ１８のディスク内周方向への移動がストッパで機械的に停止される位置）からのステッピングモータ２６の駆動パルスのパルス数をその回転方向に応じて駆動パルスカウンタ８７でアップ／ダウンカウントすることにより検出される。
【００２６】
振動信号発生器９２は描画時に振動信号を発生し、該振動信号を光ピックアップ１８のトラッキングアクチュエータに供給して対物レンズ５４（図２、図３、図４）を振動させて、レーザ光３０を光ディスク１２の径方向に微小振動させる。この振動動作によりレーザ光３０は光ディスク１２の描画層４４を蛇行しながらディスク回転に伴ってディスク周方向に移動し、同一径方向位置でレーザ光３０を複数回数ずつ周回させながら光ピックアップ１８を所定の微小ピッチずつ外周方向に順次移動させて描画を行うことにより、径方向に隙間の少ない画像を形成することができる。
【００２７】
レーザドライバ８６は光ピックアップ１６，１８内のレーザダイオード（図示せず）を駆動する。ＡＬＰＣ（Automatic Laser Power Control）回路９４は光ピックアップ１６，１８から出射するレーザ光２８，３０のパワーをシステム制御部９０で指令された値に制御する。
【００２８】
エンコーダ９６はデータ記録時には記録データを所定のフォーマットにエンコードする。レーザドライバ８６はこのエンコードされた記録データに応じて光ピックアップ１６から出射するレーザ光２８を変調し、該記録データを光ディスク１２のデータ記録層３６にピットとして記録する。エンコーダ９６は描画時には、画像データを構成する各画素の階調データに応じてデューティが変化するパルス信号（描画パルス）を生成する。レーザドライバ８６はこのデューティが変化するパルス信号に応じて光ピックアップ１８から出射するレーザ光３０を変調し、光ディスク１２の描画層４４の可視光特性を変化させる。描画された１つの画素は人の目には１つの点（ドット）として認識され、また各ドットのデューティの違いは人の目には描画の濃度の違いとして感じられる（デューティが高いほど濃い描画として感じられる）ので、これによりモノクロ多階調による描画が実現される。
【００２９】
ホスト機器（ホストコンピュータ）１００は、データ記録時は記録データを、描画時は画像データを光ディスク装置１０に送信する。送信された記録データまたは画像データは、光ディスク装置１０のインタフェース１０２で受信され、バッファメモリ９８に一旦蓄えられられた後、該バッファメモリ９８から読み出されエンコーダ９６に供給されて前述したエンコード処理がなされてデータ記録または描画に供される。データ再生時は、デコーダ（図示せず）で再生されたデータはインタフェース１０２を介してホスト機器１００に転送される。ホスト機器１００はまたデータ記録およびデータ再生時並びに描画時に、操作者による指令を光ディスク装置１０に伝達する。この指令はインタフェース１０２を介してシステム制御部９０に伝達される。システム制御部９０は該指令に応じた指令を光ディスク装置１０内の各回路に送り、該当する動作を実行させる。
【００３０】
この実施の形態において光ディスク１２の描画層４４に描画する１枚の画像を構成する画素の配列について説明する。該画素の配列を図５に模式的に示す（前述した振動動作による蛇行は考慮せず）。符号１２ｃは中心穴を示す。１枚の画像を構成する画素Ｐ１１，Ｐ１２，・・・，Ｐｍｎは光ディスク１２の中心点を中心に同心円状に配列される。画素の径方向の配列間隔Δｒは一定である。画素の周方向の配列間隔（角度）Δθは一定であり、したがって１周あたりの画素数は径方向位置にかかわらず一定である。光ディスク１２の放射方向に延びる仮想的な半直線を画像基準角度線１１として定める。各径方向位置で円状に配列された画素列は画像基準角度線１１上の画素Ｐ１１，Ｐ２１，・・・，Ｐｍ１を先頭の画素としてそれぞれ円周方向に配列されている。
【００３１】
レーザ光３０による描画は光ディスク１２をＣＡＶ（回転数一定）制御して内周側から順次外周側に向けて実行される。すなわち、描画は最内周の画素列の先頭の画素Ｐ１１から開始され、Ｐ１２，Ｐ１３，・・・と順次進行し、最内周の最後の画素Ｐ１ｎが描画されたら光ピックアップ１６をすぐに（または、前述のように同一径方向位置でレーザ光３０を複数回（ｋ回）周回させて描画する場合はその周回数ｋごとに）距離Δｒ外周方向に移動してＰ２１，Ｐ２２，・・・と進行していく。以後、１周（またはｋ周）ごとに画像基準角度線１１の直前位置で光ピックアップ１６を距離Δｒ外周方向に移動しながら描画を進行させ、最外周の最後の画素Ｐｍｎまで描画されたら全工程を終了し、光ディスク１２の描画が完成する。このように描画は各周（またはｋ周）ごとに画像基準角度線１１の直前位置で順次外周方向に移動しながら連続的に行われるので、ｍ周回（またはｋ×ｍ周回）で描画が完了する。この場合、光ディスク１２をＣＡＶ制御で回転し、この光ディスク１２の回転に同期して一定速度で各画素データ（階調データ）をエンコード｛階調データに応じてデューティが変化する所定周期（１画素分の角度Δθに相当する周期）のパルス信号（描画パルス）を生成｝して描画を行うので、先頭の画素Ｐ１１が画像基準角度線１１上に描画されるように先頭のタイミングを合わせさえすれば、後続する画素Ｐ１２，Ｐ１３，・・・，Ｐｍｎは自動的に所定位置に描画されることになる。
【００３２】
描画時に描画用レーザ光３０のレーザパワーは例えば図６に示すように変化する。すなわち、描画用レーザ光３０は、描画パルスにより、１画素あたりの描画割り当て時間が１画素分の角度Δθに相当する時間で一定で、かつ該各画素の階調データに応じたデューティで再生パワー（非描画パワー）と記録パワー（描画パワー）の２値に変化する。記録パワーで描画層４４の可視光特性が変化して描画が行われる。また、再生パワー時にフォーカスエラーが検出され、該検出されるフォーカスエラーの基づきフォーカス制御が行われる。なお、図６では説明の簡略化のために１画素あたりの描画パルス数を１パルスとして示したが、実際には本出願人の出願に係る特開２００４−３５５７６４公報に記載されているように、描画パルスをより周期の短いＥＦＭ信号で構成して、１画素あたり複数個のパルスで描画することができる。この場合、図６の各記録パワーの期間がＥＦＭ信号で変調される（短いパルスに分割される）ことになるが、ＥＦＭ信号の平均のデューティは５０％で一定であるので、１画素あたりの描画パルスのデューティ（分割パルスを合計したデューティ）は各画素の階調データに応じた値となり、これにより各画素の階調データに応じた描画が実現される。
【００３３】
図１の光ディスク装置１０による光ディスク１２のデータ記録時および描画時の制御を説明する。光ディスク１２としては例えば図２、図３、図４等の構造のものを使用し、そのデータ記録層３６にデータ記録を行い、描画層４４に描画を行うものとする。図７に制御フローを示す。この制御は、使用者によるデータ記録と描画の連続実行指示に基づき、はじめにデータ記録を行い、データ記録終了後に引き続き自動的に描画に移行するようにしたものである。ホスト機器１００には予めデータ記録用の記録データと描画用の画像データが格納されている。光ディスク装置１０に光ディスク１２をデータ面１２ａを下側に向けレーベル面１２ｂを上側に向けて挿入する（Ｓ１）。
【００３４】
使用者がホスト機器１００からデータ記録と描画の連続実行を指示すると、はじめにセレクトスイッチ８８が接点Ｂ側に接続される（Ｓ２）。これにより、下側の光ピックアップ１６は能動状態となり、上側の光ピックアップ１８は休止状態となる。続いてスピンドルモータ１４が回転駆動され、フォーカスサーボ８２がオンされ、光ピックアップ１６から出射されるレーザ光２８は再生パワーで光ディスク１２のデータ記録層３６に合焦制御される。さらに、トラッキングサーボ８４がオンされ、レーザ光２８はデータ記録層３６のグルーブ３４に追従制御される。スピンドルサーボ１５はトラッキングエラー信号から抽出されるグルーブ３４のウォブル成分が所定の周波数となるようにスピンドルモータ１４を制御する。これにより、光ディスク１２はレーザ光２８の照射位置で所定の線速度となるように回転制御してデータ記録（ＣＬＶ制御によるＣＬＶ記録）される。あるいは、スピンドルモータ１４を所定回転数でＣＡＶ制御してデータ記録（ＣＡＶ制御によるＣＬＶ記録）を行うこともできる。このＣＬＶ制御あるいはＣＡＶ制御された状態で光ピックアップ１６により光ディスク１２の位置情報｛ＡＴＩＰ（Absolute Time in Pre-groove）、ＡＤＩＰ（Address In Pre-groove）、ランドプリピット等｝が読み取られ、ステッピングモータ２４を駆動して、光ピックアップ１６はディスク内周側の所定のデータ記録開始半径位置に位置決めされる。
【００３５】
以上でデータ記録の準備が整うと、ホスト機器１００から記録データの送出が開始される。この記録データはインタフェース１０２を介してバッファメモリ９８に一旦蓄えられた後、バッファメモリ９８からＣＬＶ制御の一定ディスク線速度に対応した一定データ速度で、またはＣＡＶ制御による記録位置での線速度に応じた可変データ速度（トラッキングエラー信号から検出されるウォブル信号に同期したデータ速度であり、外周ほど速くなる）で順次読み出されてエンコーダ９６でエンコードされ、ＡＬＰＣ回路９４を介してレーザドライバ８６を駆動する。これにより、光ピックアップ１６からは記録データで再生パワーと記録パワーの２値に変調されたレーザ光２８が出射され、光ディスク１２のデータ記録層３６に対するデータ記録が開始される（Ｓ３）。
【００３６】
その後データ記録が進んで、データ記録が終了すると（Ｓ４）、自動的に描画層４４に対する描画動作に移行する（Ｓ５、Ｓ６、・・・）。すなわち、最初にセレクトスイッチ８８を接点Ｂ側に接続したまま（光ピックアップ１６についてフォーカスサーボ８２およびトラッキングサーボ８４はオン状態）、スピンドルモータ１４をＣＬＶ制御またはＣＡＶ制御で回転駆動して、光ピックアップ１６でデータ記録層３６から回転基準位置として予め定められた位置を検出する。
【００３７】
図８は回転基準位置の設定例を示す。この図はデータ記録層３６のグルーブ３４に記録されたＡＴＩＰ（ＣＤフォーマットの場合）あるいはＡＤＩＰ（ＤＶＤ＋Ｒ（Ｗ）フォーマットの場合）による位置情報（セクタ番号）を模式的に示したものである。この例では、セクタ番号を便宜的に簡単な整数で表しており、セクタ“０”とセクタ“１”の境界位置を回転基準位置１０４として定めている。なお、第１セッションを記録済にし、第２セッション以降をユーザが記録できるように構成されているいわゆるハイブリッドＣＤ−Ｒディスクの場合はＡＴＩＰによる位置情報に代えて第１セッションのサブコードの位置情報により回転基準位置を設定することができる。また、ＤＶＤ−Ｒ（Ｗ）フォーマットの場合はランドプリピットによる位置情報により回転基準位置を設定することができる。また、ハイブリッドＣＤ−Ｒに対応するような記録可能型ＤＶＤであれば、記録済データ領域のＥＣＣブロックによる位置情報により回転基準位置を設定することができる。
【００３８】
この回転基準位置１０４を通りディスク放射方向に延びる仮想的な半直線を基準角度線１０６として定める。基準角度線１０６は図９に示すようにデータ面１２ａとレーベル面１２ｂとで同じ位置にあり、描画はこの基準角度線１０６を回転方向の基準位置として実行される。すなわち、光ピックアップ１６でセクタ“０”とセクタ“１”の境界位置をシークし（図７のＳ６）、該境界位置すなわち回転基準位置１０４を検出したら（Ｓ７）、ＦＧカウンタ１９（図１）のカウント値をリセット（“０”にセット）し（Ｓ８）、該回転基準位置１０４からＦＧカウンタ１９によるＦＧパルスのカウントを開始する。ＦＧカウンタ１９のカウント値は１回転に相当する値に達するごとに“０”に自動的に戻される。これにより、ＦＧカウンタ１９のカウント値は周回ごとに基準角度線１０６からの回転角度位置に対応したものとなる。すなわち、回転基準位置１０４を一度検出した後は、再度回転基準位置１０４の検出を行うことなく周回ごとに基準角度線１０６からの回転角度位置をＦＧカウンタ１９のカウント値で知ることができる。このＦＧカウンタ１９のカウント動作は描画が終了するまで続行される。
【００３９】
このようにしてＦＧカウンタ１９によるＦＧパルスのカウントを繰り返した状態で、セレクトスイッチ８８が接点Ａ側に切り換えられる（Ｓ９）。これにより、下側の光ピックアップ１６は休止状態となり、上側の光ピックアップ１８は能動状態となる。スピンドルモータ１４は描画時の速度として定められた所定回転数にＣＡＶ制御される。このＣＡＶ制御は描画が終了するまで続行される。続いてフォーカスサーボ８２がオンされ（Ｓ１０）、光ピックアップ１８から出射されるレーザ光３０は再生パワーで光ディスク１２の描画層４４に合焦制御される。描画層４４にはトラック（グルーブ）がないのでトラッキングサーボ８４はオフされる。ステッピングモータ２６を駆動して光ピックアップ１８を一旦内周側原点位置に戻した後、ステッピングモータ２６を逆回転させて光ピックアップ１８を外周方向に移動させる。このとき内周側原点位置からのステッピングモータ２６の駆動パルス数を駆動パルスカウンタ８７で計数して光ピックアップ１８のディスク径方向位置を計測する。そして、該計測される径方向位置が描画動作を開始する径方向位置として予め定められた位置に達したら径方向移動を一旦停止する（Ｓ１１）。ここで、「描画を開始」でなく「描画動作を開始」と言ったのは、「描画動作が開始」されても、画像データの内容によっては必ずしもその位置からすぐに「描画」（描画層４４の可視光特性の変化）が開始されるわけではないからである。すなわち、描画動作を開始する位置に描画する画素の濃度が０（白）である場合には、描画動作が開始されてもその位置では描画層４４の可視光特性に変化を生じさせる「描画」は行われない。濃度が０よりも大きい画素を描画する位置が到来して初めて「描画」が開始される。
【００４０】
以上で描画の準備が整うと、ホスト機器１００から画像データの送出が開始される。この画像データはインタフェース１０２を介してバッファメモリ９８に一旦蓄えられた後、バッファメモリ９８からディスク回転数に同期した一定速度で順次読み出されてエンコーダ９６でエンコードされ、ＦＧカウンタ１９のカウント値が“０”のタイミングに合わせて（Ｓ１２）先頭の画像データから順次出力され（図５の例で言えば、画素Ｐ１１，Ｐ１２，・・・，Ｐ１ｎ，Ｐ２１，Ｐ２２，・・・Ｐ２ｎ，・・・・・・，Ｐｍｎの順に出力される）、ＡＬＰＣ回路９４を介してレーザドライバ８６を駆動する。これにより、光ピックアップ１８からは画像データで再生パワー（非描画パワー）と記録パワー（描画パワー）の２値に変調されたレーザ光３０が出射され、光ディスク１２の描画層４４に対する描画動作（１周あたりの画素数がディスク径方向位置にかかわらず一定の描画）が開始される（Ｓ１３）。描画動作が開始されると、ディスク回転に同期してステッピングモータ２６を駆動して（１周または所定の複数周ごとに１ステップ駆動する）、光ピックアップ１８を所定の微小ピッチずつ外周方向に順次移動させて描画を進行させる。
【００４１】
その後描画が進んで、駆動パルスカウンタ８７のカウント値が描画動作終了径方向位置として指示された位置に相当する値に達すると、描画動作は終了する（Ｓ１４）。描画が終了すると、光ピックアップ１６，１８の動作が停止され、スピンドルモータ１４の回転が停止されて光ディスク１２が光ディスク装置１０から排出される（Ｓ１５）。排出された光ディスク１２はデータ記録層３６に記録データが記録され、描画層４４に可視画像が形成されたものである。この可視画像はレーベル面１２ｂ側から目視することができる。
【００４２】
図１０は以上説明した図７の描画制御により光ディスク１２の描画層４４に描画された可視画像９１をレーベル面１２ｂ側から目視した一例を示す。この可視画像９１は半径Ｒ０が描画動作開始径方向位置、半径Ｒ１が描画動作終了半径方向位置である。符号１２ｃは中心穴を示す。図１０の例では、描画する画像の向きを図５の画像基準角度線１１の向きに合わせて画像データ（図５の画素データの集合）を作成しており、しかもＦＧカウンタ１９で計測される基準角度線１０６のタイミングを基準に描画動作を開始している（図５の最初の画素Ｐ１１が光ディスク１２の基準角度線１０６上に描画される）ので、光ディスク１２の基準角度線１０６に向きを合わせて可視画像９１が描画されている。
【００４３】
この実施の形態１によれば、データ記録と描画とで光ディスク１２の表裏を反転する操作をする必要がないので、面倒な反転操作が不要になる。また、反転操作が不要なので、データ記録を終了してから描画動作を開始するまでの時間を短縮することができる。また、光ピックアップ１６による回転基準位置１０４の検出に基づいて基準角度線１０６を定め、この定められた基準角度線１０６を基準に光ピックアップ１８で描画を行うので、基準角度線１０６の方向に向きをほぼ合わせて可視画像を形成することができる。また、回転基準位置１０４はデータ面１２ａ側にあるので、レーベル面１２ｂ側に回転基準位置としてのマーク等を設けなくて済み、その分描画領域を広く確保することができる。なお、以上の説明ではセクタ“０”とセクタ“１”の境界位置を基準位置１０８として設定したが、データ記録層ＡのグルーブＣ上の任意の位置を基準位置として設定することができる。
【００４４】
《実施の形態１の変形例１》
実施の形態１では光ディスク１２のデータ記録層３６の所定の回転基準位置１０４（セクタ“０”とセクタ“１”の境界位置）でＦＧカウンタ１９を一旦リセットし、その後発生されるＦＧパルスをＦＧカウンタ１９でカウントし、該カウント値が１回転に相当する値に達するごとに該カウント値を“０”に戻すことにより、周回ごとに基準角度線１０６からの回転角度位置を計測するようにした。しかし、この方法ではＦＧパルスの分解能が低い場合（１回転あたりのＦＧパルス数が少ない場合）場合には、データ記録層３６の基準角度線１０６とＦＧパルスの発生位置とのずれ角（オフセット角度）が大きくなる可能性がある。そして、実施の形態１では描画中はＦＧパルスの発生位置を基準角度線１０６の位置と見なして描画するので、このオフセット角度は基準角度線１０６の方向に対する描画された画像の向きのずれとして現れる。このため、オフセット角度が大きい場合には、例えば光ディスク１２に描画した後、光ディスク１２を光ディスク装置１０から排出し、その後光ディスク１２を光ディスク装置１２に再挿入して追加の描画（書き継ぎ、重ね書き等）を行うと、先に形成された画像と追加された画像とで画像の向きに目立つずれが生じるおそれがある。
【００４５】
基準角度線１０６の方向に対する描画された画像の向きのずれを小さくするための手法を説明する。これは、ＦＧパルスのカウントとシステム制御部９０のソフトウェアによるカウントを併用して基準角度線１０６の検出分解能を高めたものである。その全体の制御フローを図１１に示す。光ディスク装置１０に光ディスク１２をデータ記録層３６を下側に向け描画層４４を上側に向けて挿入する（Ｓ２０）。使用者がホスト機器１００からデータ記録と描画の連続実行を指示すると、はじめにセレクトスイッチ８８が接点Ｂ側に接続される（Ｓ２１）。これにより、下側の光ピックアップ１６は能動状態となり、上側の光ピックアップ１８は休止状態となり、光ディスク１２のデータ記録層３６に対するデータ記録が開始される（Ｓ２２）。
【００４６】
その後データ記録が進んで、データ記録が終了すると（Ｓ２３）、自動的に描画層４４に対する描画に移行する（Ｓ２４、Ｓ２５、・・・）。すなわち、はじめにスピンドルモータ１４を描画時の速度として設定された所定回転数にＣＡＶ制御する。このＣＡＶ制御は描画が終了するまで続行される。続いて、セレクトスイッチ８８を接点Ｂ側に接続したまま（光ピックアップ１６についてフォーカスサーボ８２およびトラッキングサーボ８４はオン状態）、光ピックアップ１６でデータ記録層３６から回転基準位置として予め定められた位置１０４（図８）を検出する（Ｓ２５）。そして、この回転基準位置１０４を通りディスク放射方向に延びる仮想的な半直線を基準角度線１０６（図８）として定め、この基準角度線１０６に対する回転角度を、後述するようにＦＧパルスのカウントとソフトウェアによるカウントを併用して周回ごとに計測する。
【００４７】
このようにして基準角度線１０６に対する回転角度の計測を周回ごとに繰り返した状態で、セレクトスイッチ８８が接点Ａ側に切り換えられる（Ｓ２６）。これにより、下側の光ピックアップ１６は休止状態となり、上側の光ピックアップ１８は能動状態となり、所定の描画動作開始位置から描画動作が開始される（Ｓ２７）。その後描画が進み、駆動パルスカウンタ８７のカウント値が描画動作終了径方向位置として指示された位置に相当する値に達すると、描画動作は終了する。描画が終了すると、光ディスク１２が光ディスク装置１０から排出され（Ｓ２８）、全ての制御が終了する。
【００４８】
図１１のステップＳ２５「基準角度線を検出」の制御の詳細を図１２に示す。また、その動作を図１３に示す。この例では、ＦＧパルスは図１３（ａ）に示すように１回転につき６パルス発生するものとしている。ＦＧカウンタ１９は図１３（ｂ）に示すようにＦＧパルスの立ち上がりエッジでカウントアップされる。図１３（ｃ）はソフトウェアによるカウンタ（「Ｃカウンタ」という）のカウント値で、水晶発振クロック等に基づく基準クロックによりカウントアップされる。この基準クロックの周期ΔＴ１はＦＧパルスの周期よりも短いもので、ＦＧパルスの１周期内に複数パルス（図１３の例では約４パルス）発生される。基準クロックの周期ΔＴ１を短くするほど基準角度線１０６の検出分解能を高めることができる。
【００４９】
図１２の制御フローを説明する。この制御フローで「Ｃ」はＣカウンタのカウント値を表す。基準角度線１０６の検出工程ではまず光ピックアップ１６でセクタ“０”とセクタ“１”の境界位置すなわち回転基準位置１０４のシークが開始される（Ｓ３０）。また、Ｃカウンタを初期リセットする（Ｓ３１）。Ｃカウンタは基準クロックにより時間ΔＴ１ごとにカウントアップされ（Ｓ３４，Ｓ３５）、ＦＧパルスの立ち上がりエッジが検出される（Ｓ３３）ごとに“０”にリセットされる（Ｓ３６。図１３（ｃ）参照）。回転基準位置１０４が検出されると（Ｓ３２）、ＦＧカウンタ１９が“０”にリセットされ（Ｓ３７）、そのときのＣカウンタのカウント値Ｃ（図１３（ｃ）の例ではＣ＝２）が直前のＦＧパルスの立ち上がりエッジからの回転基準位置１０４のオフセット値Ｃ０としてシステム制御部９０内のメモリに記憶される（Ｓ３８）。これ以降もディスク回転が所定回転数にＣＡＶ制御されたまま、ＦＧカウンタ１９によるＦＧパルスのカウントおよびＣカウンタによる基準クロックのカウントは続行される。これにより、ＦＧカウンタ１９のカウント値が“０”でＣカウンタのカウント値がＣ０のタイミングが周回ごとの基準角度線１０６のタイミングとして検出される。以上で光ピックアップ１６は役目を終了し、そのトラッキング制御がオフされ（Ｓ３９）、さらにフォーカス制御がオフされる（Ｓ４０）。
【００５０】
図１１のステップＳ２７「基準角度線から描画」の制御の詳細を図１４に示す。また、その動作を図１５に示す。描画動作を開始する時には、まず光ピックアップ１８についてフォーカスサーボ８２をオンし（Ｓ４１）、レーザ光３０を描画層４４に合焦させる。続いてステッピングモータ２４を駆動して、光ピックアップ１８を所定の描画動作開始半径位置に位置決めさせる（Ｓ４２）。また、Ｃカウンタが初期リセットされる（Ｓ４３）。Ｃカウンタは前記基準クロックによりΔＴ１ごとにカウントアップされ、ＦＧパルスの立ち上がりエッジが検出されるごとに“０”にリセットされる。ＦＧカウンタ１９のカウント値は図１２の基準角度線１０６の検出工程におけるステップＳ３７で“０”にリセットされて以降、該カウント値が１回転に相当する値に達するごとに自動的に“０”に戻されてＦＧパルスの計数を繰り返す。
【００５１】
ＦＧカウンタ１９が“０”に戻され（Ｓ４４）、かつＣカウンタが前記基準クロックにより時間ΔＴ１ごとにカウントアップされて（Ｓ４６，Ｓ４７）、該Ｃカウンタのカウント値が前記メモリに記憶されたオフセット値Ｃ０に達したタイミングで（Ｓ４５）、図１５（ｄ）のようにＷＲＩＴＥ  ＧＡＴＥ信号が出され、描画動作が開始される（Ｓ４８）。前述のようにＦＧカウンタ１９のカウント値が“０”でＣカウンタのカウント値がＣ０のタイミングが周回ごとの基準角度線１０６のタイミングであるので、これにより基準角度線１０６の位置から正確に描画動作が開始される。したがって、光ディスク１２に描画した後、光ディスク１２を光ディスク装置１０から排出し、その後光ディスク１２を光ディスク装置１２に再挿入して追加の描画（書き継ぎ、重ね書き等）を行う場合にも、先に形成された画像と追加された画像とで画像の向きに目立つずれが生じることなく追加の描画を行うことができる。その後、描画が終了すると（Ｓ４９）、図１１のステップＳ２７「基準角度線から描画」の工程が終了する。
【００５２】
《実施の形態１の変形例２》
前記変形例１ではＦＧパルスのカウントと基準クロックのカウントを併用して基準角度線の検出分解能を高めたが、基準クロックのカウントに代えてＦＧパルスの逓倍パルスを用いることもできる。この場合は図１に点線で示すように、スピンドルモータ１４から出力されるＦＧパルスを逓倍器１０８で所定倍数に周波数逓倍し、該周波数逓倍されたＦＧパルス（逓倍ＦＧパルス）を逓倍ＦＧカウンタ１１０でカウントする。この逓倍ＦＧカウンタ１１０は前記変形例１のＣカウンタと同様に使用される（図１１〜図１５参照）。すなわち、図１１のステップＳ２５「基準角度線を検出」では、逓倍ＦＧカウンタ１１０は逓倍ＦＧパルスによりカウントアップされ、ＦＧパルスの立ち上がりエッジが検出されるごとに“０”にリセットされる（図１３（ｃ）のＣカウンタの動作参照）。回転基準位置１０４（図８）が検出されると、ＦＧカウンタ１９が“０”にリセットされ、そのときの逓倍ＦＧカウンタ１１０のカウント値（図１３（ｃ）の例で言えばＣ＝２）が直前のＦＧパルスの立ち上がりエッジからの回転基準位置１０４のオフセット値としてシステム制御部９０内のメモリに記憶される。
【００５３】
図１１のステップＳ２７「基準角度線から描画」では、逓倍ＦＧカウンタ１１０は引き続き逓倍ＦＧパルスでカウントアップされ、ＦＧパルスの立ち上がりエッジが検出されるごとに“０”にリセットされる。ＦＧカウンタ１９は基準角度線１０６の検出工程において回転基準位置１０４で“０”にリセットされて以降、該カウント値が１回転に相当する値に達するごとに該カウント値が“０”に戻されてＦＧパルスの計数を繰り返している。ＦＧカウンタ１９が“０”に戻され、かつ逓倍ＦＧカウンタ１１０が逓倍ＦＧパルスでカウントアップされて該逓倍ＦＧカウンタ１１０のカウント値が前記メモリに記憶されたオフセット値に達するタイミング（図１５（ｃ）の例で言えばＣ＝２のタイミング）が周回ごとの基準角度線１０６のタイミングであるので、このタイミングでＷＲＩＴＥ  ＧＡＴＥ信号（図１５（ｄ）参照）が出され、描画動作が開始される。これにより、基準角度線１０６の位置から正確に描画動作が開始される。
【００５４】
《実施の形態２》
この発明の実施の形態２を説明する。これは前記実施の形態１においてセレクトスイッチ８８（図１）で切り換えて使用していた光ピックアップ１６，１８の制御系統および信号系統を光ピックアップ１６，１８ごとに個別に設けて、光ピックアップ１６，１８を同時に使用できるようにしたものである。図１６に実施の形態２の光ディスク装置のシステム構成を示す。実施の形態１（図１）と共通する部分には同一の符号を用いる。図１６の構成は、図１のセレクトスイッチ８８をなくし、モータドライバ８０、フォーカスサーボ８２、トラッキングサーボ８４、レーザドライバ８６、ＡＬＰＣ回路９４、エンコーダ９６、バッファメモリ９８を光ピックアップ１６，１８ごとに設けたものである。
【００５５】
光ディスク装置１１１は光ディスク１２の種類に応じて次のモードで動作することができるものである。
（ａ）光ディスク１２が片面ディスクの場合：光ピックアップ１６または１８でデータ記録またはデータ再生（再生専用ディスクの場合は再生のみ）
（ｂ）光ディスク１２が両面ディスクの場合：光ピックアップ１６および１８でデータ記録またはデータ再生（再生専用ディスクの場合は再生のみ）（光ピックアップ１６、１８は同時または非同時に動作）
（ｃ）光ディスク１２が描画層付片面ディスクの場合：光ピックアップ１６でデータ記録またはデータ再生、光ピックアップ１８で描画（光ピックアップ１６、１８は同時または非同時に動作）
【００５６】
図１６の光ディスク装置１１１を使用して、光ディスク１２に下側の光ピックアップ１６でデータ記録を行い、これと同時に上側の光ピックアップ１８で描画を行う場合の制御フローを図１７に示す。この制御は使用者によるデータ記録と描画の同時実行指示に基づいて実行される。ホスト機器１００には予めデータ記録用の記録データと描画用の画像データが格納されている。光ディスク装置１１１に光ディスク１２をデータ面１２ａを下側に向けレーベル面１２ｂを上側に向けて挿入する（Ｓ５０）。
【００５７】
使用者がホスト機器１００からデータ記録と描画の同時実行を指示すると両光ピックアップ１６、１８が共に能動状態となる。続いてスピンドルモータ１４が描画時の速度として定められた所定回転数にＣＡＶ制御される。このＣＡＶ制御はデータ記録および描画が終了するまで続行される。続いてデータ記録側についてフォーカスサーボ８２−１がオンされ（Ｓ５１）、光ピックアップ１６から出射されるレーザ光２８は再生パワーで光ディスク１２のデータ記録層３６に合焦制御される。さらに、トラッキングサーボ８４−１がオンされ、レーザ光２８はデータ記録層３６のグルーブ３４に追従制御される。この状態で、光ピックアップ１６により光ディスク１２の位置情報（ＡＴＩＰ、ＡＤＩＰ、ランドプリピット等。ハイブリッドＣＤ−Ｒの場合は第１セッションのサブコードの位置情報を利用することもできる）が読み取られ、ステッピングモータ２４を駆動して、データ記録層３６の回転基準位置として予め定められた位置（例えば図８に示すセクタ“０”とセクタ“１”の境界位置１０４）のシークを開始する（Ｓ５２）。回転基準位置１０４を検出したら（Ｓ５３）、ＦＧカウンタ１９のカウント値をリセット（“０”にセット）し（Ｓ５４）、該回転基準位置１０４からＦＧカウンタ１９によるＦＧパルスのカウントを開始する。ＦＧカウンタ１９のカウント値は１回転に相当する値に達するごとに“０”に自動的に戻される。これにより、ＦＧカウンタ１９のカウント値は周回ごとに基準角度線１０６（図９）からの回転角度位置に対応したものとなる。このＦＧカウンタ１９のカウント動作は描画が終了するまで続行される。
【００５８】
続いて描画側についてフォーカスサーボ８２−２がオンされ（Ｓ５５）、光ピックアップ１８から出射されるレーザ光３０は再生パワーで光ディスク１２の描画層４４に合焦制御される。描画層４４にはトラック（グルーブ）がないのでトラッキングサーボ８４−２はオフされる。ステッピングモータ２６を駆動して光ピックアップ１８を一旦内周側原点位置（例えば光ピックアップ１８のディスク径方向の移動がストッパで機械的に停止される位置）に戻した後、ステッピングモータ２６を逆回転させて光ピックアップ１８を外周方向に移動させる。このとき内周側原点位置からのステッピングモータ２６の駆動パルス数を駆動パルスカウンタ８７で計数して光ピックアップ１８のディスク径方向位置を計測する。そして、該計測される径方向位置が描画動作を開始する径方向位置として予め定められた位置に達したら径方向移動を一旦停止する（Ｓ５６）。さらに、データ記録側について光ピックアップ１６により光ディスク１２の位置情報（ＡＴＩＰ、ＡＤＩＰ、ランドプリピット等。ハイブリッドＣＤ−Ｒの場合は第１セッションのサブコードの位置情報の利用も可）を読み取りながらステッピングモータ２４を駆動して、データ記録を開始する直前位置をシークし（Ｓ５７）、該直前位置でデータ記録ポーズ状態（１周に１回１トラック分キックバックする動作状態）にする（Ｓ５８）。
【００５９】
以上でデータ記録と描画の同時実行の準備が整うと、ホスト機器１００から記録データと画像データの送出が開始される。画像データはインタフェース１０２を介してバッファメモリ９８−２に一旦蓄えられた後、バッファメモリ９８−２からディスク回転数に同期した一定速度で順次読み出されてエンコーダ９６−２でエンコードされ、ＦＧカウンタ１９のカウント値が“０”のタイミングに合わせて（Ｓ５９）先頭の画像データから順次出力され（図５の例で言えば、画素Ｐ１１，Ｐ１２，・・・，Ｐ１ｎ，Ｐ２１，Ｐ２２，・・・Ｐ２ｎ，・・・・・・，Ｐｍｎの順に出力される）、ＡＬＰＣ回路９４−２を介してレーザドライバ８６−２を駆動する。これにより、光ピックアップ１８からは画像データで再生パワー（非描画パワー）と記録パワー（描画パワー）の２値に変調されたレーザ光３０が出射され、光ディスク１２の描画層４４に対する描画動作（１周あたりの画素数がディスク径方向位置にかかわらず一定の描画）が開始される（Ｓ６０）。描画動作が開始されると、ディスク回転に同期してステッピングモータ２６を駆動して、光ピックアップ１８を所定の微小ピッチずつ外周方向に順次移動させて描画を進行させる。
【００６０】
描画動作開始とほぼ同時にデータ記録も開始される。すなわち、ホスト機器１００から送出される記録データはインタフェース１０２を介してバッファメモリ９８−１に一旦蓄えられる。そして、データ記録ポーズ状態が解除され（Ｓ６１）、データ記録開始アドレスが検出されるタイミング（Ｓ６２）に合わせて、記録データをバッファメモリ９８−１からＣＡＶ制御による記録位置での線速度に応じた可変データ速度（トラッキングエラー信号から検出されるウォブル信号に同期したデータ速度であり、外周ほど速くなる）で順次読み出し、エンコーダ９６−１でエンコードし、ＡＬＰＣ回路９４−１を介してレーザドライバ８６−１を駆動する。これにより、光ピックアップ１６からは記録データで再生パワーと記録パワーの２値に変調されたレーザ光２８が出射され、光ディスク１２のデータ記録層３６に対するデータ記録（ディスク周方向のデータ密度がディスク径方向位置にかかわらず一定となる記録）が開始される（Ｓ６３）。
【００６１】
その後データ記録が進んで、データ記録が終了すると（Ｓ６４）、光ピックアップ１８の動作が停止される。また、描画が進んで、駆動パルスカウンタ８７のカウント値が描画動作終了径方向位置として指示された位置に相当する値に達すると、描画動作は終了する（Ｓ６５）。描画が終了すると、光ピックアップ１６の動作が停止される（Ｓ６５）。そして、スピンドルモータ１４の回転が停止されて光ディスク１２が光ディスク装置１０から排出される（Ｓ６６）。排出された光ディスク１２はデータ記録層３６に記録データが記録され、描画層４４に可視画像が基準角度線１０６の方向に向きを合わせて形成されたものである。この可視画像はレーベル面１２ｂ側から目視することができる。
【００６２】
この実施の形態２によれば、データ記録と描画とで光ディスク１２の表裏を反転する操作をする必要がないので、面倒な反転操作が不要になる。また、データ記録と描画を同時に行うので、データ記録と描画を別々の時に行う場合に比べて、データ記録と描画に要する全体の時間を短縮することができる。また、光ピックアップ１６による回転基準位置１０４の検出に基づいて基準角度線１０６を定め、この定められた基準角度線１０６を基準に光ピックアップ１８で描画を行うので、基準角度線１０６の方向に向きをほぼ合わせて可視画像を形成することができる。また、回転基準位置１０４はデータ面１２ａ側にあるので、レーベル面１２ｂ側に回転基準位置としてのマーク等を設けなくて済み、その分描画領域を広く確保することができる。
【００６３】
なお、実施の形態２においても、前記実施の形態１の変形例１，２で説明したオフセット角度分を補正する手法を採用することにより、基準角度線１０６の方向に対する描画された画像の向きのずれを小さくすることができ、追加の描画（書き継ぎ、重ね書き等）を行う場合の追加前後での画像の角度ずれを小さく目立たなくすることができる。
【００６４】
《描画可能ディスク判断手法１》
光ディスクの盤面に描画を行う場合、描画しようとする光ディスクが描画可能なディスクかどうかを予め判断する必要がある。その判断手法例を説明する。これは、光ディスクが描画可能なディスクであることを示す識別情報（描画可能ディスク識別情報）を新たに定義して光ディスク１２のデータ記録層３６に記録し、光ディスクが光ディスク装置１０（図１）、１１１（図１６）に挿入されたときに、データ面１２ａ側の光ピックアップ１６でこの描画可能ディスク識別情報が読み取られるか否かによって、この挿入された光ディスクが描画可能かどうかを判断するものである。
【００６５】
〈ＣＤフォーマットにおける描画可能ディスク識別情報の定義例１〉
データ記録層３６がＣＤフォーマットで構成されている場合には、ＡＴＩＰの未定義コードを用いて描画可能ディスク識別情報を記録することができる。図１８はＡＴＩＰのデータ構造を示す。このデータ構造で、“Ｕ１”＝“１”とし、“Ｕ２〜Ｕ７”に描画可能ディスク識別情報を入れることができる。例えば“Ｕ１〜Ｕ７”＝“１０１０１０１”を描画可能ディスク識別情報として定義することができる。
【００６６】
〈ＣＤフォーマットにおける描画可能ディスク識別情報の定義例２〉
例えば第１セッションを記録済にし、第２セッション以降をユーザが記録できるように構成されているいわゆるハイブリッドＣＤ−Ｒディスクであれば、第１セッションのサブコードＲ〜Ｗの未定義コードを用いて描画可能ディスク識別情報を記録することができる。図１９はサブコードのデータ構造を示す。このデータ構造で、“ＭＯＤＥ”＝“１１１”、“ＩＴＥＭ”＝“０００”の場合は、サブコードＲ〜Ｗはユーザモードとなり、ユーザが“ＩＮＳＴＲＵＣＴＩＯＮ”と“ＤＡＴＡ  ｆｉｅｌｄ”を自由に定義することができる。そこで、例えば“ＩＮＳＴＲＵＣＴＩＯＮ”＝“０１０１０１”とし、“ＤＡＴＡ  ｆｉｅｌｄ”が図２０に示すパターンである場合を描画可能ディスク識別情報として定義することができる。
【００６７】
〈ＣＤフォーマットにおける描画可能ディスク識別情報の定義例３〉
同様に第１セッションを記録済にし、第２セッション以降をユーザが記録できるように構成されているいわゆるハイブリッドＣＤ−Ｒディスクであれば、第１セッションのリードイン領域やリードアウト領域のメインデータに描画可能ディスク識別情報を記録することができる。図２１はＣＤフォーマットの１セクタ分のデータ構造を示す。このデータ構造で、プログラム領域では“データ”に意味のあるデータが記録されている。しかし、リードイン領域やリードアウト領域では“データ”はドライブにより読み込まれることがないので、通常はランダムデータやゼロデータといった意味のないデータが記録されている。そこで、リードイン領域やリードアウト領域の“データ”に描画可能ディスク識別情報を記録することができる。リードイン領域やリードアウト領域の“データ”に記録する描画可能ディスク識別情報の一例を図２２に示す。この例ではデータ値を１ずつ増加する値としている。
【００６８】
〈ＣＤフォーマットの場合の描画可能ディスク識別情報の定義例４〉
同様に第１セッションを記録済にし、第２セッション以降をユーザが記録できるように構成されているいわゆるハイブリッドＣＤ−Ｒディスクであれば、第１セッションの特定のＣＲＣエラー発生パターンを描画可能ディスク識別情報として定義することができる。そのＣＲＣエラー発生パターン例を図２３に示す。番号０〜８９は任意のサブコードフレームＮからのサブコードフレームのアドレスＮ〜（Ｎ＋８９）を示す。“○”はＣＲＣエラーなしのサブコードフレームを示し、“×”はＣＲＣエラーありのサブコードフレームを示す。図２３の例では、アドレスＮに後続する３の倍数のアドレスごとにＣＲＣエラーが発生するパターンを描画可能ディスク識別情報として定義している。そして、このようなＣＲＣエラー発生パターンとなるようにサブコードを記録しておく。
【００６９】
〈ＤＶＤ＋Ｒ（Ｗ）フォーマットにおける描画可能ディスク識別情報の定義例〉
データ記録層３６がＤＶＤ＋ＲまたはＤＶＤ＋ＲＷフォーマットで構成されている場合には、ＡＤＩＰの未定義コードを用いて描画可能ディスク識別情報を記録することができる。図２４はＡＤＩＰのデータ構造を示す。このデータ構造で、“Ｂｙｔｅ１”の“ｂ７  ｔｏ  ｂ４”の値を“００００”以外の値とすれば描画可能ディスク識別情報を記録することができる。例えば、“ｂ７〜ｂ４”＝“１０１０”を描画可能ディスク識別情報として定義することができる。なお、ランドプリピットを採用しているＤＶＤ−ＲあるいはＤＶＤ−ＲＷフォーマットの場合は、ランドプリピットの未定義コードを用いて描画可能ディスク識別情報を記録することができる。
【００７０】
以上のように描画可能ディスク識別情報をデータ記録層３６に記録する場合の光ディスク装置１０，１１１による描画可能ディスク判断フローを図２５に示す。光ディスク１２が挿入されると、スピンドルモータ１４を駆動し、下側光ピックアップ１６についてフォーカスサーボ８２（８２−１）をオンし（Ｓ７０）、レーザ光２８をデータ記録層３６に合焦させる。続いて光ピックアップ１６のトラッキングサーボ８４（８４−１）をオンし（Ｓ７１）レーザ光２８をデータ記録層３６のグルーブ３４に追従させる。そして、描画可能ディスク識別情報が記録されているデータ記録層３６の領域をシークする（Ｓ７２）。該領域のデータを読み出し（Ｓ７３）、描画可能ディスク識別情報の有無を判断し（Ｓ７４）、描画可能ディスク識別情報が検出された場合はレーベル面１２ｂに描画可能と判断し（Ｓ７５）、ユーザの描画指示を待って描画を行う。一方、描画可能ディスク識別情報が検出されなかった場合はレーベル面１２ｂに描画不可と判断し（Ｓ７６）、データ面１２ａへのデータ記録のみ許可する。
【００７１】
《描画可能ディスク判断手法２》
これは、描画可能な光ディスク１２のデータ面１２ａ側のディスク基板表面に、データ面１２ａ側の光ピックアップ１６で検出可能な描画可能ディスク識別マークを形成し、光ディスクが光ディスク装置１０（図１）、１１１（図１６）に挿入されたときに、光ピックアップ１６でこの描画可能ディスク識別情報が読み取られるか否かによって、この挿入された光ディスクが描画可能かどうかを判断するものである。
【００７２】
図２６に描画可能ディスク識別マークの形成例を示す。（ａ）は描画可能光ディスク１２のデータ面１２ａ側の構造を示し、（ｂ）はそのレーベル面１２ｂ側の構造を示す。光ディスク１２の層構造は例えば前出の図２、図３、図４等である。この光ディスク１２のレーベル面１２ｂ側のディスク基板表面に黒色等の印刷で描画可能ディスク識別マーク１１３を形成する。この例では、中心穴１２ｃの周囲に９０°の間隔で印刷した４本のバーで描画可能ディスク識別マーク１１３を構成している。１本のマーク１１３の幅（ディスク周方向の長さ）は１ｍｍ程度である。この描画可能ディスク識別マーク１１３を形成する半径方向の領域１１５（マーク形成領域）はディスク中心から半径２１．０〜２２．０ｍｍの領域である。この領域はデータ記録層３６は存在するが通常の光ディスク装置では記録再生しない領域である。マーク形成領域１１５の外周側（半径２２．０ｍｍよりも外周側）がデータ記録を行うデータ記録領域１１７である。レーベル面１２ｂ側は例えば半径２４．０ｍｍから外周側が描画を行う描画領域１１９である。マーク形成領域１１５をさらに外周側（例えば、ＤＶＤの場合は半径２２．０〜２４．０ｍｍの領域、ＣＤの場合は半径２３．０〜２５．０ｍｍの領域）に形成することもできる。
【００７３】
以上のように描画可能ディスク識別マーク１１３を形成する場合の光ディスク装置１０，１１１による描画可能ディスク判断フローを図２７に示す。光ディスク１２が挿入されると、スピンドルモータ１４を駆動し、下側光ピックアップ１６についてフォーカスサーボ８２（８２−１）をオンし（Ｓ８０）、レーザ光２８をデータ記録層３６に合焦させる。続いて描画可能ディスク識別マーク１１３が形成されているデータ記録層３６の領域をレーザ光２８でトレースする（Ｓ８１）。反射光量の周期的な増減により描画可能ディスク識別マーク１１３の有無を判断し（Ｓ８２）、描画可能ディスク識別マーク１１３が検出された場合はレーベル面１２ｂに描画可能と判断し（Ｓ８３）、ユーザの描画指示を待って描画を行う。一方、描画可能ディスク識別マーク１１３が検出されなかった場合はレーベル面１２ｂに描画不可と判断し（Ｓ８４）、データ面１２ａへのデータ記録のみ許可する。
【００７４】
なお、前記実施の形態ではデータ記録層に記録されている位置情報を流用して回転基準位置を規定したが、この発明はこれに限るものではなく、例えばデータ面側の基板表面やデータ記録層の所定位置（例えばディスク内周側の位置）に形成した、データ面側の光ピックアップで検出可能なマークで回転基準位置を規定することもできる。また、前記実施の形態でははじめにデータ記録を行い該データ記録の終了に続いて描画を行い、またはデータ記録と同時に描画を行うようにしたが、この発明はこれに限るものではなく、データ記録やデータ再生とは無関係に描画のみを行う場合にも適用することができる。
【００７５】
また、前記実施の形態では描画層はグルーブを有しないものとして説明したが、グルーブを有するものであってもよい。この場合、ＤＶＤ規格に準拠した記録可能型両面ＤＶＤを使用し、その両面のデータ記録層のうちの片面のデータ記録層を描画層として使用することができる。グルーブを有する描画層に描画を行うときは、描画に使用するレーザ光３０で該描画層のグルーブに追従制御して、あるいは追従制御せずに描画を行うことができる。レーザ光３０で描画層のグルーブに追従制御して描画を行う行うときは、画像データを構成する画素のディスク径方向の配置間隔はトラックピッチ（グルーブのピッチ）とする。グルーブに追従制御せずに描画を行う場合は、前記実施の形態と同様に、ディスク回転に同期してステッピングモータ２６を駆動して（１周または所定の複数周ごとに１ステップ駆動する）、光ピックアップ１８を所定の微小ピッチずつ外周方向に順次移動させて描画を進行させる。
【図面の簡単な説明】
【００７６】
【図１】この発明の実施の形態１を示す図で、この発明が適用された光ディスク装置のシステム構成を示すブロック図である。
【図２】図１、図１６の光ディスク１２の層構造およびレーザ光の配置例を示す一部拡大断面図である。
【図３】図１、図１６の光ディスク１２の層構造およびレーザ光の他の配置例を示す一部拡大断面図である。
【図４】図１、図１６の光ディスク１２の層構造およびレーザ光のさらに別の配置例を示す一部拡大断面図である。
【図５】光ディスク１２の描画層４４に描画する１枚の画像を構成する画素の配列を模式的に示す図である。
【図６】光ディスク１２の描画層４４の描画に使用する描画用レーザ光３０のレーザパワーの変化を示す波形図である。
【図７】図１の光ディスク装置１０による光ディスク１２のデータ記録時および描画時の制御を示すフローチャートである。
【図８】光ディスク１２のデータ面１２ａにおける回転基準位置の設定例を示す模式図である。
【図９】光ディスク１２の基準角度線１０６の設定例を示す模式図である。
【図１０】図７の描画制御により光ディスク１２の描画層４４に描画された可視画像９１の一例を示す平面図である。
【図１１】図１の光ディスク装置１０による光ディスク１２のデータ記録時および描画時の制御を示すフローチャートで、基準角度線１０６の方向に対する描画された画像の向きのずれを小さくするための手法を示すものである。
【図１２】図１１のステップＳ２５「基準角度線を検出」の詳細を示すフローチャートである。
【図１３】図１２の制御による動作を示すタイムチャートである。
【図１４】図１１のステップＳ２７「基準角度線から描画」の詳細を示すフローチャートである。
【図１５】図１４の制御による動作を示すタイムチャートである。
【図１６】この発明の実施の形態２を示す図で、この発明が適用された光ディスク装置のシステム構成を示すブロック図である。
【図１７】図１６の光ディスク装置１１１を使用して、光ディスク１２に下側の光ピックアップ１６でデータ記録を行い、これと同時に上側の光ピックアップ１８で描画を行う場合の制御を示すフローチャートである。
【図１８】ＣＤフォーマットのＡＴＩＰのデータ構造を示す図である。
【図１９】ＣＤフォーマットのサブコードのデータ構造を示す図である。
【図２０】ＣＤフォーマットのサブコードによる描画可能ディスク識別情報の定義例を示す図である。
【図２１】ＣＤフォーマットの１セクタ分のデータ構造を示す図である。
【図２２】ＣＤフォーマットのメインデータによる描画可能ディスク識別情報の定義例を示す図である。
【図２３】ＣＤフォーマットのＣＲＣエラー発生パターンによる描画可能ディスク識別情報の定義例を示す図である。
【図２４】ＤＶＤ＋Ｒ（Ｗ）フォーマットのＡＤＩＰのデータ構造を示す図である。
【図２５】描画可能ディスク識別情報をデータ記録層に記録する場合の光ディスク装置１０，１１１による描画可能ディスク判断手法を示すフローチャートである。
【図２６】光ディスク１２における描画可能ディスク識別マークの形成例を示す図である。
【図２７】描画可能ディスク識別マーク１１３を形成する場合の光ディスク装置１０，１１１による描画可能ディスク判断判断手法を示すフローチャートである。
【符号の説明】
【００７７】
１０…光ディスク装置、１２…光ディスク、１２ａ…データ面、１２ｂ…レーベル面、１６，１８…光ピックアップ、３６…データ記録層、４４…描画層、９０…システム制御部、１００…ホスト機器、１０４…回転基準位置、１０６…基準角度線、１１３…描画可能ディスク識別マーク。
【図１】
2008004243.tif 000003
【図２】
2008004243.tif 000004
【図３】
2008004243.tif 000005
【図４】
2008004243.tif 000006
【図５】
2008004243.tif 000007
【図６】
2008004243.tif 000008
【図７】
2008004243.tif 000009
【図８】
2008004243.tif 000010
【図９】
2008004243.tif 000011
【図１０】
2008004243.tif 000012
【図１１】
2008004243.tif 000013
【図１２】
2008004243.tif 000014
【図１３】
2008004243.tif 000015
【図１４】
2008004243.tif 000016
【図１５】
2008004243.tif 000017
【図１６】
2008004243.tif 000018
【図１７】
2008004243.tif 000019
【図１８】
2008004243.tif 000020
【図１９】
2008004243.tif 000021
【図２０】
2008004243.tif 000022
【図２１】
2008004243.tif 000023
【図２２】
2008004243.tif 000024
【図２３】
2008004243.tif 000025
【図２４】
2008004243.tif 000026
【図２５】
2008004243.tif 000027
【図２６】
2008004243.tif 000028
【図２７】
2008004243.tif 000029